(57)【特許請求の範囲】
【請求項１】
ベース部材と、
前記ベース部材に取り付けられ、所定領域への遊技球の流入が可能となる開放状態と、前記所定領域への遊技球の流入が不能となる閉鎖状態と、を構成することが可能な一対の可動片と、
前記一対の可動片のそれぞれを駆動させるための駆動源と、
前記一対の可動片のそれぞれに対応して設けられ、前記駆動源の動きを対応する前記可動片に伝達するリンク機構と、を備えた開閉装置であって、
前記一対の可動片のそれぞれは、第一連結軸によって前記ベース部材に対して回転可能に連結された第一部材と、第二連結軸によって前記第一部材に対して回転可能に連結された第二部材と、を有し、
前記リンク機構は、互いに偏心させて設けられた第一操作軸及び第二操作軸を有するクランク部材と、前記駆動源の動きを前記クランク部材に伝達するリンク部材と、を有し、
前記第一操作軸は、前記第二連結軸に対して同心となるように、前記第二部材に固定され、
前記リンク部材は、前記駆動源の動きを前記第二操作軸に伝達することを特徴とする開閉装置。
【請求項２】
前記ベース部には、前記第一操作軸の移動を規制する規制部が設けられていることを特徴とする請求項１に記載の開閉装置。
【請求項３】
前記第一部材及び前記第二部材のそれぞれは、棒状に形成され、
前記第一連結軸は、前記第一部材の一端部と、前記ベース部材と、を連結し、
前記第二連結軸は、前記第一部材の他端部と、前記第二部材の一端部と、を連結することを特徴とする請求項１又は２に記載の開閉装置。
【請求項４】
前記一対の可動片が前記閉鎖状態を構成している場合、一方の可動片の前記第二部材の他端部と、他方の可動片の前記第二部材の他端部と、が互いに接触していることを特徴とする請求項３に記載の開閉装置。
【請求項５】
前記第一部材及び前記第二部材のそれぞれは、平面状の内側面を有し、
前記一対の可動片が前記開放状態を構成している場合、ぞれぞれの可動片において、前記第一部材の内側面と、前記第二部材の内側面と、が一連となることを特徴とする請求項３又は４に記載の開閉装置。
【発明の詳細な説明】
【技術分野】
【０００１】
本発明は、遊技機に遊技盤面に配設される開閉装置に関する。
【背景技術】
【０００２】
従来、一対の可動片を有し、各可動片が複数の部材から構成されている開閉装置が知られている（特許文献１参照）。
【先行技術文献】
【特許文献】
【０００３】
【特許文献１】特開昭６３−１６１９８２号公報
【発明の概要】
【発明が解決しようとする課題】
【０００４】
しかしながら、特許文献１に係る開閉装置では、一対の可動片のそれぞれの可動範囲が狭い。
例えば、特許文献１に係る開閉装置では、一対の可動片のみによっては、所定領域への遊技球の流入が不能な閉鎖状態を構成することができず、閉鎖状態を構成するために屋根部材が必要となる。
本発明の課題は、開閉装置において、一対の可動片のそれぞれの可動範囲を広げることである。
【課題を解決するための手段】
【０００５】
上記目的を達成するために、第一の発明に係る開閉装置は、ベース部材と、前記ベース部材に取り付けられ、所定領域への遊技球の流入が可能となる開放状態と、前記所定領域への遊技球の流入が不能となる閉鎖状態と、を構成することが可能な一対の可動片と、前記一対の可動片のそれぞれを駆動させるための駆動源と、前記一対の可動片のそれぞれに対応して設けられ、前記駆動源の動きを対応する前記可動片に伝達するリンク機構と、を備えた開閉装置であって、前記一対の可動片のそれぞれは、第一連結軸によって前記ベース部材に対して回転可能に連結された第一部材と、第二連結軸によって前記第一部材に対して回転可能に連結された第二部材と、を有し、前記リンク機構は、互いに偏心させて設けられた第一操作軸及び第二操作軸を有するクランク部材と、前記駆動源の動きを前記クランク部材に伝達するリンク部材と、を有し、前記第一操作軸は、前記第二連結軸に対して同心となるように、前記第二部材に固定され、前記リンク部材は、前記駆動源の動きを前記第二操作軸に伝達することを特徴とする。
【０００６】
第一の発明に係る開閉装置では、クランク部材の第一操作軸が、第一部材と第二部材とを連結する第二連結軸に対して同心となるように、第二部材に固定されている。そして、リンク部材は、駆動源の動きを、クランク部材の第二操作軸に伝達する。ここで、第一操作軸と第二操作軸とは、互いに偏心するように設けられている。
これにより、駆動源を駆動させて、クランク部材を移動させることによって、第一部材及び第二部材を移動させることができる。
【０００７】
また、駆動源を駆動させて、クランク部材の第二操作軸を移動させることによって、クランク部材の第一操作軸を回転させることができる。
そして、クランク部材の第一操作軸を回転させることによって、第二部材を第一部材に対して回転させることができる。
以上のように、第一の発明に係る開閉装置では、駆動源を駆動させることによって、第一部材及び第二部材を移動させる動作と、第二部材を第一部材に対して回転させる動作と、を行うことができる。
したがって、第一の発明に係る開閉装置によれば、簡易な構成で、一対の可動片のそれぞれの可動範囲を広げることが可能となる。
【０００８】
ここで、開閉装置としては、例えば、後述する開閉装置６００が該当する。ベース部材としては、例えば、後述するベース部材７００が該当する。所定領域としては、例えば、後述する入球口２１０が該当する。可動片としては、例えば、後述する可動片６１０が該当する。駆動源としては、例えば、後述する可動片ソレノイド３２２が該当する。リンク機構としては、例えば、後述するリンク機構８００が該当する。第一連結軸としては、例えば、後述する第一連結軸７１０が該当する。第一部材としては、例えば、後述する第一部材６２０が該当する。第二連結軸としては、例えば、後述する第二連結軸６３４が該当する。第二部材としては、例えば、後述する第二部材６３０が該当する。第一操作軸としては、例えば、後述する第一操作軸８１１が該当する。第二操作軸としては、例えば、後述する第二操作軸８１２が該当する。クランク部材としては、例えば、後述するクランク部材８１０が該当する。
【０００９】
また、第二の発明に係る開閉装置は、第一の発明に係る開閉装置において、前記ベース部には、前記第一操作軸の移動を規制する規制部が設けられていることを特徴とする。
第二の発明に係る開閉装置では、規制部がクランク部材の第一操作軸の移動を規制していない状態では、第二操作軸が移動されることによって、第二操作軸とともに第一操作軸が移動されて、第一部材及び第二部材が移動される。
【００１０】
一方、規制部がクランク部材の第一操作軸の移動を規制している状態では、第一操作軸が移動されずに、第二操作軸が移動されることによって、第二部材が第一部材に対して回転される。
したがって、第二の発明に係る開閉装置によれば、一対の可動片を開放状態又は閉鎖状態とする動作を、段階的に行うことが可能となる。
ここで、規制部としては、例えば、後述する第一規制面７２１及び第二規制面７２２が該当する。
【００１１】
また、第三の発明に係る開閉装置は、第一又は第二の発明に係る開閉装置において、前記第一部材及び前記第二部材のそれぞれは、棒状に形成され、前記第一連結軸は、前記第一部材の一端部と、前記ベース部材と、を連結し、前記第二連結軸は、前記第一部材の他端部と、前記第二部材の一端部と、を連結することを特徴とする。
第三の発明に係る開閉装置によれば、一対の可動片のそれぞれの可動範囲をさらに広げることが可能となる。
【００１２】
また、第四の発明に係る開閉装置は、第三の発明に係る開閉装置において、前記一対の可動片が前記閉鎖状態を構成している場合、一方の可動片の前記第二部材の他端部と、他方の可動片の前記第二部材の他端部と、が互いに接触していることを特徴とする。
第四の発明に係る開閉装置によれば、一対の可動片のみによって閉鎖状態を構成することが可能となる。すなわち、屋根部材を設けなくても、閉鎖状態を構成することが可能となる。
【００１３】
さらに、第五の発明に係る開閉装置は、第三又は第四の発明に係る開閉装置において、前記第一部材及び前記第二部材のそれぞれは、平面状の内側面を有し、前記一対の可動片が前記開放状態を構成している場合、ぞれぞれの可動片において、前記第一部材の内側面と、前記第二部材の内側面と、が一連となることを特徴とする。
第五の発明に係る開閉装置によれば、一対の可動片が開放状態を構成した際に、所定領域への遊技球の流入を円滑に行うことが可能となる。
ここで、内側面としては、例えば、後述する内側面６２２，６３２が該当する。
【発明の効果】
【００１４】
本発明によれば、一対の可動片のそれぞれの可動範囲を広げることが可能となる。
【図面の簡単な説明】
【００１５】
【図１】パチンコ機における遊技盤面の正面部、特に説明に必要な部分を模式的に示した図である。
【図２】パチンコ機の制御系の構成を示すブロック図である。
【図３】開閉装置の分解斜視図である。
【図４】ベース部材の正面図である。
【図５】可動片が閉鎖状態を構成している開閉装置を示す斜視図である。
【図６】図５に示す開閉装置の正面図である。
【図７】図５に示す開閉装置の背面図である。
【図８】可動片が開放状態を構成している開閉装置を示す斜視図である。
【図９】図８に示す開閉装置の正面図である。
【図１０】図８に示す開閉装置の背面図である。
【図１１】可動片が閉鎖状態から開放状態に変化する途中の状態となっている開閉装置を示す正面図である。
【図１２】図１１に示す開閉装置の背面図である。
【図１３】可動片が開放状態から閉鎖状態に変化する途中の状態となっている開閉装置を示す正面図である。
【図１４】図１３に示す開閉装置の背面図である。
【発明を実施するための形態】
【００１６】
以下、本発明の実施形態を図面を参照しながら説明する。
本実施形態では、本発明に係る開閉装置６００を、パチンコ機１に適用している。
（遊技盤面の構成）
まず、パチンコ機１における遊技盤面１００の構成を説明する。
図１は、パチンコ機における遊技盤面の正面部、特に説明に必要な部分を模式的に示した図である。
図１に示すように、遊技盤面１００には、遊技球の発射路１０１を構成する外レール１０２及び内レール１０３が設けられている。遊技盤面１００では、外レール１０２によって囲まれた円形状の領域が、遊技球を転動させる遊技領域１０４となっている。遊技領域１０４には、後述する各入賞口等に遊技球を導くように、複数の釘（図示せず）が配設されている。そして、発射装置（図示せず）によって発射された遊技球は、発射路１０１から遊技領域１０４に発射される。
【００１７】
遊技領域１０４の中央部には、役物装置２００が配設されている。役物装置２００は、遊技球を流入させる入球口（所定領域）２１０と、入球口２１０に流入した遊技球を誘導する遊技球誘導部２２０と、遊技球誘導部２２０の下流側に配設された特定入賞口２３０及び排出口２４０と、を有している。
また、役物装置２００は、開閉装置６００を有している。開閉装置６００は、一対の可動片６１０を有している。一対の可動片６１０は、入球口２１０への遊技球の流入が可能となる開放状態（図８参照）と、入球口２１０への遊技球の流入が不能となる閉鎖状態（図５参照）と、を構成することが可能となっている。一対の可動片は、可動片ソレノイド３２２（図２参照）によって開閉される。一対の可動片６１０は、通常時は、閉鎖状態となっている。そして、一対の可動片６１０は、小当たり抽選（小当たりＡ抽選、小当たりＢ抽選）に当選した場合、所定パターンで開放状態となる。
【００１８】
特定入賞口２３０は、上向きに開口した入賞口であり、常時、遊技球が入賞可能となっている。特定入賞口２３０に遊技球が入賞すると、パチンコ機１の内部に配設された特定入賞口スイッチ３１７（図２参照）が、該遊技球の入賞を検出する。そして、特定入賞口スイッチ３１７は、遊技球の入賞を検出すると、後述する主制御装置４００に対して検出信号を入力し、特別図柄抽選の契機を与える。
排出口２４０は、特定入賞口２３０の左右方向の両側方のそれぞれに配設されている。各排出口２４０は、特定入賞口２３０に入賞しなかった遊技球を回収する。
【００１９】
役物装置２００の左側には、第一始動入賞口１１０が配設されている。第一始動入賞口１１０は、上向きに開口した入賞口であり、常時、遊技球が入賞可能となっている。第一始動入賞口１１０に遊技球が入賞すると、パチンコ機１の内部に配設された第一始動入賞口スイッチ３１０（図２参照）が、該遊技球の入賞を検出する。そして、第一始動入賞口スイッチ３１０は、遊技球の入賞を検出すると、後述する主制御装置４００に対して検出信号を入力し、小当たりＡ抽選の契機を与える。
【００２０】
役物装置２００の右側には、始動ゲート１２０が設けられている。始動ゲート１２０は、常時、遊技球が通過可能となっている。始動ゲート１２０を遊技球が通過すると、パチンコ機１の内部に配設された始動ゲートスイッチ３１１（図２参照）が、該遊技球の通過を検出する。そして、始動ゲートスイッチ３１１は、遊技球の通過を検出すると、主制御装置４００に対して検出信号を入力し、普通図柄抽選の契機を与える。
【００２１】
始動ゲート１２０の下方には、第二始動入賞口１３０が配設されている。第二始動入賞口１３０は、始動入賞口ソレノイド３２０（図２参照）によって開閉される開閉部材１３１を有する可変入賞口となっている。第二始動入賞口１３０は、通常時は、開閉部材１３１が閉止状態となり、遊技球が入賞することができない状態となっている。そして、第二始動入賞口１３０は、普通図柄抽選に当選した場合、開閉部材１３１が所定パターンで開放状態となって、遊技球が入賞することが可能となる。第二始動入賞口１３０に遊技球が入賞すると、パチンコ機１の内部に配設された第二始動入賞口スイッチ３１２（図２参照）が、該遊技球の入賞を検出する。そして、第二始動入賞口スイッチ３１２は、遊技球の入賞を検出すると、主制御装置４００に対して検出信号を入力し、小当たりＢ抽選の契機を与える。
【００２２】
第二始動入賞口１３０の下方には、大入賞口１４０が配設されている。大入賞口１４０は、大入賞口ソレノイド３２１（図２参照）によって開閉される開閉部材１４１を有する可変入賞口となっている。大入賞口１４０は、通常時は、開閉部材１４１が閉止状態となり、遊技球が入賞することができない状態となっている。そして、大入賞口１４０は、特別図柄抽選に当選した場合、所定パターンで開放状態となって、遊技球が入賞することが可能となる。大入賞口１４０に遊技球が入賞すると、パチンコ機１の内部に配設された大入賞口スイッチ３１３（図２参照）が、該遊技球の入賞を検出する。そして、大入賞口スイッチ３１３は、遊技球の入賞を検出すると、主制御装置４００に対して検出信号を入力し、入賞した遊技球数に応じた数の賞球を払い出す契機を与える。
【００２３】
第一始動入賞口１１０の左下方には、パチンコ機１の遊技状態を表示する状態表示装置１７０が配設されている。状態表示装置１７０には、特別図柄抽選の結果、普通図柄抽選の結果、小当たりＡ抽選の結果、小当たりＢ抽選の結果等が表示される。
役物装置２００の下方であって遊技領域１０４の最下方には、各入賞口及び役物装置２００のいずれにも入賞しなかった遊技球を回収するためのアウト口１８０が設けられている。
【００２４】
（制御系の構成）
次に、パチンコ機１における制御系の構成を説明する。
図２は、パチンコ機の制御系の構成を示すブロック図である。
図２に示すように、パチンコ機１は、第一始動入賞口スイッチ３１０と、第二始動入賞口スイッチ３１２と、始動ゲートスイッチ３１１と、大入賞口スイッチ３１３と、特定入賞口スイッチ３１７と、を備えている。
また、パチンコ機１は、制御部として、主制御装置４００と、副制御装置５００と、を備えている。不正行為防止等のため、主制御装置４００及び副制御装置５００は、それぞれ別々の基板に実装される。また、制御部では、主制御装置４００から副制御装置５００への一方向にのみデータの送信が可能となっている。
【００２５】
主制御装置４００は、主として、第一始動入賞口１１０への遊技球の入賞の検出、第二始動入賞口１３０への遊技球の入賞の検出及び特定入賞口２３０への遊技球の入賞の検出のそれぞれに応じて、各種の乱数を取得（小当たりＡ抽選、小当たりＢ抽選、特別図柄抽選を実行）する。そして、主制御装置４００は、取得した各種乱数に基づいて、制御コマンドの送信及び遊技全体の制御を行う。
【００２６】
また、主制御装置４００は、状態表示装置１７０、賞球払出制御装置５１０、始動入賞口ソレノイド３２０、大入賞口ソレノイド３２１、可動片ソレノイド３２２等を直接制御する。
主制御装置４００は、ＣＰＵ４１０と、ＲＯＭ４２０と、ＲＡＭ４３０と、入力ポート４４０と、出力ポート４５０とを備える。
入力ポート４４０は、各種スイッチ３１０，３１２，３１１，３１３，３１７から入力された検出信号をＣＰＵ４１０に出力する。
【００２７】
出力ポート４５０は、副制御装置５００、状態表示装置１７０及び賞球払出制御装置５１０のそれぞれに対して制御コマンドを出力するとともに、始動入賞口ソレノイド３２０、大入賞口ソレノイド３２１、可動片ソレノイド３２２のそれぞれに対して制御信号を出力する。また、出力ポート４５０は、パチンコ機１の出玉情報や異常信号等をホールコンピュータ９１０に出力する。
ＲＯＭ４２０には、主制御装置４００で実行されるパチンコ機１を制御するためのプログラム、遊技制御用のデータ等が記憶されている。
ＲＡＭ４３０は、主制御装置４００に対する入出力データ、演算処理のためのデータ、遊技に関連する乱数カウンタを始めとする各種カウンタ、抽選結果や遊技状態を管理するフラグ等を一時的に記憶する。
【００２８】
また、主制御装置４００には、電源供給を行うための電源回路９００が接続されている。
副制御装置５００は、主制御装置４００と同様に、ＣＰＵ、ＲＯＭ、ＲＡＭ、入力ポート及び出力ポートを備える。
副制御装置５００のＲＯＭには、演出を制御するためのプログラム、各種データ等が記憶されている。副制御装置５００のＲＡＭには、主制御装置４００から入力された制御コマンド、演算処理を行うためのデータ等が一時的に記憶される。副制御装置５００のＣＰＵは、主制御装置４００から受信した制御コマンドに応じて、ＲＯＭに記憶されたプログラムにしたがった処理を実行する。これにより、副制御装置５００のＣＰＵは、ランプ５３０の制御、スピーカ５４０からの効果音の出力の制御等を行う。
【００２９】
（開閉装置６００の構成）
次に、開閉装置６００の構成を説明する。
図３は、開閉装置の分解斜視図である。図４は、ベース部材の正面図である。図５は、可動片が閉鎖状態を構成している開閉装置を示す斜視図である。図６は、図５に示す開閉装置の正面図である。図７は、図５に示す開閉装置の背面図である。図８は、可動片が開放状態を構成している開閉装置を示す斜視図である。図９は、図８に示す開閉装置の正面図である。図１０は、図８に示す開閉装置の背面図である。
【００３０】
以下の説明では、前後方向とは、図６、図７、図９、図１０に示す奥行き方向を意味する。また、上下方向とは、図６、図７、図９、図１０に示す上下方向を意味する。さらに、左右方向とは、図６、図７、図９、図１０に示す左右方向を意味する。
図３から図１０に示す開閉装置６００は、ベース部材７００と、ベース部材７００に取り付けられた一対の可動片６１０と、一対の可動片６１０のそれぞれに対応して設けられたリンク機構８００及び可動片ソレノイド（駆動源）３２２と、を備えている。
【００３１】
ベース部材７００は、平板状に形成されている。図３及び図４に示すように、ベース部材７００の正面には、一対の第一連結軸７１０が設けられている。各第一連結軸７１０は、円柱状に形成されている。各第一連結軸７１０は、前後方向に沿って延びている。各第一連結軸７１０は、ベース部材７００の正面側に向かって突出するように設けられている。
【００３２】
また、図７及び図１０に示すように、ベース部材７００の背面における各第一連結軸７１０に対応する位置には、第一支持軸７３１が設けられている。各第一支持軸７３１は、円柱状に形成されている。各第一支持軸７３１は、対応する第一連結軸７１０に対して同心（軸を一致させた状態）となるように設けられている。各第一支持軸７３１は、ベース部材７００の背面側に向かって突出するように設けられている。
【００３３】
また、図３及び図４に示すように、ベース部材７００には、一対の第一連結軸７１０のそれぞれに対応する規制孔７２０が設けられている。各規制孔７２０は、対応する第一連結軸７１０の上方に設けられている。各規制孔７２０は、対応する第一連結軸７１０を中心として、円弧状に設けられている。
図４に示すように、各規制孔７２０の一端（外側の端）は、鉛直線ｘを、第一連結軸７１０を中心として、外側に向かって所定角度αだけ回転させた位置まで延びている。一方、各規制孔７２０の他端（内側の端）は、鉛直線ｘを、第一連結軸７１０を中心として、内側に向かって所定角度βだけ回転させた位置まで延びている。そして、本実施形態では、所定角度α及び所定角度βは、同一の角度となっている。
【００３４】
そして、各規制孔７２０の両端面のうち外側の端面は、後述する第一操作軸８１１の移動を規制する第一規制面（規制部）７２１となっている。また、各規制孔７２０の両端面のうち内側の端面は、第一操作軸８１１の移動を規制する第二規制面（規制部）７２２となっている。
さらに、図７及び図１０に示すように、ベース部材７００の背面には、第二支持軸７３２が設けられている。第二支持軸７３２は、ベース部材７００の左右方向における略中心部に設けられている。第二支持軸７３２は、円柱状に形成されている。第二支持軸７３２は、前後方向に沿って延びている。第二支持軸７３２は、ベース部材７００の背面側に向かって突出するように設けられている。
図３、図６及び図９に示すように、各可動片６１０は、ベース部材７００の正面側に配設される。各可動片６１０は、第一部材６２０と、第一部材６２０に連結された第二部材６３０と、を有している。
【００３５】
第一部材６２０は、直線的に延びる棒状に形成されている。本実施形態では、第一部材６２０は、平面状の外側面６２１及び内側面６２２を有する角柱状に形成されている。第一部材６２０の一端部には、ベース部材７００の第一連結軸７１０が挿通される第一軸受孔６２３が設けられている。第一部材６２０の他端部には、連結部６２４が設けられている。連結部６２４は、正面側に切欠き６２４ａが形成されているとともに、背面側に切欠き６２４ｂが形成されている。連結部６２４には、第二連結軸６３４が挿通される第二軸受孔６２５が設けられている。第一軸受孔６２３及び第二軸受孔６２５は、それぞれ円筒状の貫通孔となっている。第一軸受孔６２３及び第二軸受孔６２５は、それぞれ前後方向に沿って延びている。
【００３６】
第二部材６３０は、直線的に延びる棒状に形成されている。本実施形態では、第二部材６３０は、平面状の外側面６３１及び内側面６３２（図８参照）を有する角柱状に形成されている。第二部材６３０の一端部には、連結部６３３が設けられている。連結部６３３は、正面側に切欠き６３３ａが形成されている。連結部６３３の厚さ（前後方向の寸法）は、連結部６２４の切欠き６２４ｂの厚さと略同一となっている。連結部６３３の正面には、第二連結軸６３４が設けられている。第二連結軸６３４は、円柱状に形成されている。第二連結軸６３４は、前後方向に沿って延びている。第二連結軸６３４は、連結部６３３の正面側に向かって突出するように設けられている。
【００３７】
第一部材６２０及び第二部材６３０は、第二部材６３０の第二連結軸６３４が第一部材６２０の第二軸受孔６２５に挿通されることによって、互いに連結されている。そして、各可動片６１０は、第一部材６２０及び第二部材６３０が連結されることによって構成される。各可動片６１０では、第二部材６３０が、第二連結軸６３４を中心として、第一部材６２０に対して回転可能となっている。
【００３８】
また、各可動片６１０は、ベース部材７００の第一連結軸７１０が第一部材６２０の第一軸受孔６２３に挿通されることによって、ベース部材７００に連結されている。これによって、各可動片６１０の第一部材６２０は、第一連結軸７１０を中心として、ベース部材７００に対して回転可能となっている。すなわち、各可動片６１０は、第一連結軸７１０を中心として、ベース部材７００に対して回転可能となっている。
【００３９】
図３、図７及び図１０に示すように、各リンク機構８００は、ベース部材７００の背面側に配設される。各リンク機構８００は、可動片ソレノイド３２２の動きを対応する可動片６１０に伝達する。各リンク機構８００は、クランク部材８１０と、第一リンク部材（リンク部材）８２０と、第二リンク部材（リンク部材）８３０と、を有している。
クランク部材８１０は、第一リンク部材８２０の動きを可動片６１０の第二部材６３０に伝達する。クランク部材８１０は、連結板８１３と、連結板８１３によって互いに連結された第一操作軸８１１及び第二操作軸８１２と、を有している。
【００４０】
図３に示すように、連結板８１３は、平板状に形成されている。連結板８１３の正面には、第一操作軸８１１が嵌合される嵌合凹部８１４が設けられている。嵌合凹部８１４は、連結板８１３の一端部に設けられている。
連結板８１３の裏面には、第二操作軸８１２が設けられている。第二操作軸８１２は、連結板８１３の他端部に設けられている。第二操作軸８１２は、前後方向に沿って延びている。第二操作軸８１２は、連結板８１３の背面側に向かって突出するように設けられる。
【００４１】
本実施形態では、第一操作軸８１１は、第二部材６３０に固定されている。具体的には、第一操作軸８１１の一端部は、第二部材６３０の連結部６３３の背面に固定されている。ここで、第一操作軸８１１は、連結部６３０の正面に設けられている第二連結軸６３４に対して同心となるように、連結部６３０の裏面に固定されている。第一操作軸８１１は、その他端部が連結板８１３の嵌合凹部８１４に嵌合されることによって、連結板８１３に取り付けられる。これによって、第一操作軸８１１及び第二操作軸８１２は、連結板８１３において、互いに偏心させて（軸を並行にずらした状態で）設けられる。
【００４２】
第一リンク部材８２０は、第二リンク部材８３０の動きをクランク部材８１０に伝達する。本実施形態では、第一リンク部材８２０は、回転によって、第二リンク部材８３０の動きをクランク部材８１０に伝達するカム部材となっている。第一リンク部材８２０は、略三角形の平板状に形成されている。
第一リンク部材８２０の正面には、ベース部材７００の第一支持軸７３１が挿通される軸受部８２１が設けられている。軸受部８２１は、第一リンク部材８２０の３つの角部のうち第一の角部（下方かつ外側の角部）に設けられている。軸受部８２１は、円筒状に形成されている。
【００４３】
また、第一リンク部材８２０の背面には、操作軸８２２が設けられている。操作軸８２２は、第一リンク部材８２０の３つの角部のうち第二の角部（下方かつ内側の角部）に設けられている。操作軸８２２は、第一リンク部材８２０の背面側に向かって突出するように設けられている。
さらに、第一リンク部材の３つの角部のうち第三の角部（上方の角部）には、クランク部材８１０の第二操作軸８１２が挿通されるカム孔８２３が設けられている。カム孔８２３は、上下方向に沿って略直線状に延びるように設けられている。ここで、カム孔８２３の内周面が、クランク部材８１０の第二操作軸８１２に対して動きを伝達する。
【００４４】
第二リンク部材８３０は、可動片ソレノイド３２２の動きを第一リンク部材８２０に伝達する。第二リンク部材８３０は、略方形の平板状に形成されている。
第二リンク部材８３０の一端部には、ベース部材７００の第二支持軸７３２が挿通される軸受部８３１が設けられている。軸受部８３１は、円筒状に形成されている。第二リンク部材８３０の他端部には、第一リンク部材８２０の操作軸８２２が挿通される操作孔８３２が設けられている。
【００４５】
第二リンク部材８３０における軸受部８３１と操作孔８３２との間には、後述する連結軸３２５が挿通される連結孔８３３が設けられている。
図３、図７及び図１０に示すように、各可動片ソレノイド３２２は、ベース部材７００の背面側に配設される。各可動片ソレノイド３２２は、プランジャ３２３と、プランジャ３２３が挿入されるコイル部３２４と、を有している。
【００４６】
図７及び図１０に示すように、プランジャ３２３の先端部には、連結軸３２５が配設されている。プランジャ３２３は、可動片ソレノイド３２２の非通電時には、図示しないスプリングに付勢されることによって、コイル部３２４に対して下方に向かって突出されて、突出位置（図７参照）に配置される。一方、プランジャ３２３は、可動片ソレノイド３２２の通電時（駆動時）には、コイル部３２４に対して上方に向かって引き込まれて、引込位置（図１０参照）に配置される。
第二リンク部材８３０は、ベース部材７００の第二支持軸７３２が軸受部８３１に挿通されることによって、ベース部材７００に取り付けられている。また、第二リンク部材８３０とプランジャ３２３とは、プランジャ３２３の連結軸３２５が第二リンク部材８３０の連結孔８３３に挿通されることによって、互いに連結されている。
【００４７】
これによって、可動片ソレノイド３２２のプランジャ３２３の動きを、第二リンク部材８３０に伝達することが可能となっている。具体的には、プランジャ３２３の動きに応じて、第二リンク部材８３０を、第二支持軸７３２を中心として、ベース部材７００に対して回転させることが可能となっている。第二リンク部材８３０は、プランジャ３２３が突出位置に配置されることに対応する下方位置（図７参照）と、プランジャ３２３が引込位置に配置されることに対応する上方位置（図１０参照）と、の間において回転させることが可能となっている。
【００４８】
第一リンク部材８２０は、ベース部材７００の第一支持軸７３１が軸受部８２１に挿通されることによって、ベース部材７００に取り付けられている。また、第一リンク部材８２０と第二リンク部材８３０とは、第一リンク部材８２０の操作軸８２２が第二リンク部材８３０の操作孔８３２に挿通されることによって、互いに連結される。
これによって、第二リンク部材８３０の動きを、第一リンク部材８２０に伝達することが可能となっている。具体的には、第二リンク部材８３０の動きに応じて、第一リンク部材８２０を、第一支持軸７３１を中心として、ベース部材７００に対して回転させることが可能となっている。第一リンク部材８２０は、第二リンク部材８３０が下方位置に配置されることに対応する内側位置（図７参照）と、第二リンク部材８３０が上方位置に配置されることに対応する外側位置（図１０参照）と、の間において回転させることが可能となっている。
【００４９】
クランク部材８１０は、第一操作軸８１１を、ベース部材７００の規制孔７２０に挿通させた状態で配設されている。第一操作軸８１１は、その一端部が可動片６１０の第二部材６３０に固定され、その他端部が連結板８１３に取り付けられている。また、クランク部材８１０と第一リンク部材８２０とは、クランク部材８１０の第二操作軸８１２が第一リンク部材８２０のカム孔８２３に挿通されることによって、互いに連結される。
これによって、第一リンク部材８２０の動きを、クランク部材８１０（第二操作軸８１２）に伝達することが可能となっている。そして、クランク部材８１０に伝達された動きは、第一操作軸８１１を介して、可動片６１０の第二部材６３０に伝達される。
【００５０】
具体的には、第一リンク部材８２０の動きに応じて、第一操作軸８１１を、規制孔７２０に沿って移動させることが可能となる。そして、第一操作軸８１１を規制孔７２０に沿って移動させることによって、可動片６１０の第一部材６２０及び第二部材６３０を移動させることが可能となる。また、第一リンク部材８２０の動きに応じて、第一操作軸８１１を、回転させることが可能となる。そして、第一操作軸８１１を回転させることによって、第一部材６２０に対して第二部材６３０を回転させることが可能となる。クランク部材８１０は、第一リンク部材８２０が内側位置に配置されることに対応する第一状態（図７参照）と、第一リンク部材８２０が外側位置に配置されることに対応する第二状態（図１０参照）と、の間において変化させることが可能となっている。
【００５１】
（開閉装置６００の動作）
次に、開閉装置６００の動作について説明する。
図１１は、可動片が閉鎖状態から開放状態に変化する途中の状態となっている開閉装置を示す正面図である。図１２は、図１１に示す開閉装置の背面図である。図１３は、可動片が開放状態から閉鎖状態に変化する途中の状態となっている開閉装置を示す正面図である。図１４は、図１３に示す開閉装置の背面図である。
【００５２】
以下の説明では、内側とは、一対の可動片６１０の内側（互いに近づく側）を意味する。また、外側とは、一対の可動片６１０の外側（互いに離れる側）を意味する。
図５から図７に示すように、可動片ソレノイド３２２の非通電時には、一対の可動片６１０が閉鎖状態を構成する。
具体的には、図７に示すように、可動片ソレノイド３２２の非通電時には、可動片ソレノイド３２２のプランジャ３２３が突出位置に配置される。
プランジャ３２３が突出位置に配置されることによって、第二リンク部材８３０が、下方位置に配置される。すなわち、プランジャ３２３が突出位置に配置されることによって、第二リンク部材８３０が、第二支持軸７３２を中心として、下方に向かって回転された状態となる。これによって、第二リンク部材８３０の操作孔８３２が、下方に移動された状態となる。
【００５３】
また、第二リンク部材８３０が下方位置に配置されることによって、第一リンク部材８２０が、内側位置に配置される。すなわち、第二リンク部材８３０の操作孔８３２が下方に移動された状態となることによって、操作孔８３２に挿通されている第一リンク部材８２０の操作軸８２２が、下方に押し下げられた状態となる。これによって、第一リンク部材８２０が、第一支持軸７３１を中心として、カム孔８２３が内側に向かって移動される向きに回転された状態となる。したがって、第一リンク部材８２０のカム孔８２３が、内側に移動された状態となる。
【００５４】
さらに、第一リンク部材８２０が内側位置に配置されることによって、クランク部材８１０が、第一状態に配置される。すなわち、第一リンク部材８２０のカム孔８２３が内側に移動された状態となることによって、カム孔８２３に挿通されているクランク部材８１０の第二操作軸８１２が、内側に移動された状態となる。これによって、クランク部材８１０の第一操作軸８１１が、ベース部材７００の規制孔７２０の第二規制面７２２に接触した状態となる。また、クランク部材８１０が、第一操作軸８１１を中心として、第二操作軸８１２が上方かつ内側に向かって移動される向き（以下、内側向きとする）に回転された状態となる。
【００５５】
そして、クランク部材８１０の第一操作軸８１１が規制孔７２０の第二規制面７２２に接触した状態となることによって、第一操作軸８１１に対して同心となるように設けられている第二部材６３０の第二連結軸６３４が、内側に移動された状態となる。これによって、第一部材６１０が内側に向かって傾斜した状態となる。また、クランク部材８１０が内側向きに回転された状態となることによって、第二部材６３０が、第二連結軸６３４を中心として、第一部材６２０に対して内側に向かって回転された状態となる。これによって、第二部材６３０が、第一部材６２０に対して内側に向かって傾斜した状態となる。以上により、一対の可動片６１０が、閉鎖状態を構成する。
【００５６】
ここで、本実施形態では、閉鎖状態を構成する一対の可動片６１０では、両第二部材６３０の先端部（他端部）が、互いに接触した状態となっている。これによって、一対の可動片６１０のみによって閉鎖状態を構成することが可能となる。すなわち、屋根部材を設けなくても、閉鎖状態を構成することが可能となる。
一対の可動片６１０が閉鎖状態を構成する開閉装置６００において、可動片ソレノイド３２２への通電を開始（駆動を開始）すると、可動片ソレノイド３２２のプランジャ３２３が上方に向かって引き上げられる。
プランジャ３２３が上方に向かって引き上げられることによって、第二リンク部材８３０が、第二支持軸７３２を中心として、上方に向かって回転される。これによって、第二リンク部材８３０の操作孔８３２が、上方に向かって移動される。
【００５７】
また、第二リンク部材８３０の操作孔８３２が上方に向かって移動されることによって、操作孔８３２に挿通されている第一リンク部材８２０の操作軸８２２が、上方に向かって引き上げられる。これによって、第一リンク部材８２０が、第一支持軸７３１を中心として、カム孔８２３が外側に向かって移動される向きに回転される。したがって、第一リンク部材８２０のカム孔８２３が、外側に向かって移動される。
さらに、第一リンク部材８２０のカム孔８２３が外側に向かって移動されることによって、カム孔８２３に挿通されているクランク部材８１０の第二操作軸８１２が、外側に向かって移動される。
【００５８】
そして、クランク部材８１０の第二操作軸８１２が外側に向かって移動されることによって、第一操作軸８１１が、ベース部材７００の規制孔７２０に沿って、外側に向かって移動される。さらに、クランク部材８１０の第一操作軸８１１が外側に向かって移動されることによって、可動片６１０の第一部材６２０が、第一連結軸７１０を中心として、ベース部材７００に対して外側に向かって回転される。これによって、可動片６１０の第一部材６２０及び第二部材６３０が、ともに外側に向かって（開く向きに）移動される。この際、第一部材６２０に対する第二部材６３０の回転は行われない。
【００５９】
さらに、クランク部材８１０の第二操作軸８１２が外側に向かって移動されると、図１１及び図１２に示すように、クランク部材８１０の第一操作軸８１１が、ベース部材７００の規制孔７２０の第一規制面７２１に接触する。これによって、クランク部材８１０の第一操作軸８１１の外側に向かう移動が、阻止（規制）される。したがって、第一部材６２０のベース部材７００に対する外側に向かう回転が阻止される。
【００６０】
第一操作軸８１１が第一規制面７２１に接触している状態で、さらに、第一リンク部材８２０が回転されてカム孔８２３が外側に向かって移動されると、クランク部材８１０の第二操作軸８１２が、カム孔８２３に沿って、下方かつ外側に向かって移動される。したがって、クランク部材８１０が、第一操作軸８１１を中心として、第二操作軸８１２が下方かつ外側に向かって移動される向き（以下、外側向きとする）に回転される。すなわち、クランク部材８１０の第一操作軸８１１が、移動が阻止された状態で、外側向きに回転される。これによって、可動片６１０の第二部材６３０が、第二連結軸６３４を中心として、第一部材６２０に対して外側に向かって（開く向きに）回転される。
【００６１】
そして、図８から図１０に示すように、可動片ソレノイド３２２のプランジャ３２３が引込位置に配置されることによって、一対の可動片６１０が開放状態を構成する。
開放状態を構成している各可動片６１０では、第一部材６２０及び第二部材６３０が、直線状に配置されて、１本の角柱を構成する。これによって、第一部材６２０の外側面６２１及び第二部材６３０の外側面６３１が、一連の平面を形成する。また、第一部材６２０の内側面６２２及び第二部材６３０の内側面６３２が、一連の平面を形成する。これによって、入球口２１０への遊技球の流入を円滑に行うことが可能となる。
【００６２】
また、開放状態を構成している各可動片６１０は、上端側を外側に向けて傾斜させた状態となる。
一対の可動片６１０が開放状態を構成する開閉装置６００において、可動片ソレノイド３２２への通電を停止すると、可動片ソレノイド３２２のプランジャ３２３が下方に向かって押し下げられる。
プランジャ３２３が下方に向かって押し下げられることによって、第二リンク部材８３０が、第二支持軸７３２を中心として、下方に向かって回転される。これによって、第二リンク部材８３０の操作孔８３２が、下方に向かって移動される。
【００６３】
また、第二リンク部材８３０の操作孔８３２が下方に向かって移動されることによって、操作孔８３２に挿通されている第一リンク部材８２０の操作軸８２２が、下方に向かって押し下げられる。これによって、第一リンク部材８２０が、第一支持軸７３１を中心として、カム孔８２３が内側に向かって移動される向きに回転される。したがって、第一リンク部材８２０のカム孔８２３が、内側に向かって移動される。
さらに、第一リンク部材８２０のカム孔８２３が内側に向かって移動されることによって、カム孔８２３に挿通されているクランク部材８１０の第二操作軸８１２が、内側に向かって移動される。
【００６４】
そして、クランク部材８１０の第二操作軸８１２が内側に向かって移動されることによって、第一操作軸８１１が、ベース部材７００の規制孔７２０に沿って、内側に向かって移動される。さらに、クランク部材８１０の第一操作軸８１１が内側に向かって移動されることによって、可動片６１０の第一部材６２０が、第一連結軸７１０を中心として、ベース部材７００に対して内側に向かって回転される。これによって、可動片６１０の第一部材６２０及び第二部材６３０が、ともに内側に向かって（閉じる向きに）移動される。この際、第一部材６２０に対する第二部材６３０の回転は行われない。
【００６５】
さらに、クランク部材８１０の第二操作軸８１２が内側に向かって移動されると、図１３及び図１４に示すように、クランク部材８１０の第一操作軸８１１が、ベース部材７００の規制孔７２０の第二規制面７２２に接触する。これによって、クランク部材８１０の第一操作軸８１１の内側に向かう移動が、阻止（規制）される。したがって、第一部材６２０のベース部材７００に対する内側に向かう回転が阻止される。
【００６６】
第一操作軸８１１が第二規制面７２２に接触している状態で、さらに、第一リンク部材８２０の回転によってカム孔８２３が内側に向かって移動されると、クランク部材８１０の第二操作軸８１２が、カム孔８２３に沿って、上方かつ内側に向かって移動される。したがって、クランク部材８１０が、第一操作軸８１１を中心として、内側向きに回転される。すなわち、クランク部材８１０の第一操作軸８１１が、移動が阻止された状態で、内側向きに回転される。これによって、可動片６１０の第二部材６３０が、第二連結軸６３４を中心として、第一部材６２０に対して内側に向かって（閉じる向きに）回転される。
【００６７】
ここで、本実施形態では、第一操作軸８１１が第二規制面７２２に接触した後に、第二部材６３０が、第一部材６２０に対して内側に向かって回転する構成となっている。しかしながら、第一操作軸８１１が鉛直線ｘを越えた時点で、第二部材６３０が、自重によって、第一部材６２０に対して内側に向かって回転する構成としても構わない。
そして、図５から図７に示すように、可動片ソレノイド３２２のプランジャ３２３が突出位置に配置されることによって、一対の可動片６１０が閉鎖状態を構成する。
【００６８】
以上のように、開閉装置６００では、可動片ソレノイド３２２を駆動させることによって、第一部材６２０及び第二部材６３０を移動させる動作と、第二部材６３０を第一部材６２０に対して回転させる動作と、を行うことができる。
したがって、開閉装置６００によれば、簡易な構成で、一対の可動片６１０のそれぞれの可動範囲を広げることが可能となる。
また、開閉装置６００では、第一規制面７２１又は第二規制面７２２がクランク部材８１０の第一操作軸８１１の移動を規制していない状態では、第一操作軸８１１が移動されることによって、第一部材６２０及び第二部材６３０が移動される。
【００６９】
一方、第一規制面７２１又は第二規制面７２２が第一操作軸８１１の移動を規制している状態では、第一操作軸８１１が移動されずに第二操作軸８１２が移動されることによって、第一操作軸８１１が回転されて、第二部材６３０が第一部材６２０に対して回転される。
したがって、開閉装置６００によれば、一対の可動片６１０を開放状態又は閉鎖状態とする動作を、段階的に行うことが可能となる。
【００７０】
（変形例）
以上、本発明の実施形態について説明したが、上記実施形態では、種々の変更を行うことが可能である。
例えば、上記各実施形態では、可動片ソレノイド３２２が、一対の可動片６１０のそれぞれに対応して設けられている。しかしながら、１つの可動片ソレノイド３２２によって、一対の可動片６１０を駆動する構成としても構わない。
【００７１】
また、本実施形態では、第一操作軸８１１は、第二部材６３０に固定されている。しかしながら、第一操作軸８１１は、連結板８１３に固定されていても構わない。
また、第一部材６２０及び第二部材６３０の形状は、それぞれ適宜変更することが可能である。
さらに、上記各実施形態においては、本発明に係る開閉装置６００をパチンコ機１の遊技盤面１００に備える場合について説明したが、これに限らず、本発明の主旨を逸脱しない範囲で他のアミューズメントゲーム機等の遊技機にも適用可能である。
【符号の説明】
【００７２】
１  パチンコ機
１００  遊技盤面
１０４  遊技領域
２００  役物装置
１１０  第一始動入賞口
１２０  始動ゲート
１３０  第二始動入賞口
１３１  開閉部材
１４０  大入賞口
１４１  開閉部材
１７０  状態表示装置
２１０  入球口
２２０  遊技球誘導部
２３０  特定入賞口
２４０  排出口
３１０  第一始動入賞口スイッチ
３１２  第二始動入賞口スイッチ
３１１  始動ゲートスイッチ
３１３  大入賞口スイッチ
３１７  特定入賞口スイッチ
３２２  可動片ソレノイド
３２３  プランジャ
３２４  コイル部
３２５  連結軸
４００  主制御装置
５００  副制御装置
６００  開閉装置
６１０  可動片
６２０  第一部材
６２１  外側面
６２２  内側面
６２３  第一軸受孔
６２４  連結部
６２５  第二軸受孔
６３０  第二部材
６３１  外側面
６３２  内側面
６３３  連結部
６３４  第二連結軸
７００  ベース部材
７１０  第一連結軸
７２０  規制孔
７２１  第一規制面
７２２  第二規制面
７３１  第一支持軸
７３２  第二支持軸
８００  リンク機構
８１０  クランク部材
８１１  第一操作軸
８１２  第二操作軸
８１３  連結板
８１４  嵌合凹部
８２０  第一リンク部材
８２１  軸受部
８２２  操作軸
８２３  カム孔
８３０  第二リンク部材
８３１  軸受部
８３２  操作孔
８３３  連結孔
【図１】
0005462112.tif 000002
【図２】
0005462112.tif 000003
【図３】
0005462112.tif 000004
【図４】
0005462112.tif 000005
【図５】
0005462112.tif 000006
【図６】
0005462112.tif 000007
【図７】
0005462112.tif 000008
【図８】
0005462112.tif 000009
【図９】
0005462112.tif 000010
【図１０】
0005462112.tif 000011
【図１１】
0005462112.tif 000012
【図１２】
0005462112.tif 000013
【図１３】
0005462112.tif 000014
【図１４】
0005462112.tif 000015